(57)【要約】【課題】増幅対象となる信号を増幅器３により増幅して当該増幅信号に含まれる歪成分を検出する歪検出ループと、歪検出ループにより検出される歪成分を用いて当該増幅信号から歪成分を除去する歪除去ループを備え、増幅対象となる信号に基準信号（パイロット信号）を合成して当該基準信号を用いて歪補償に関する制御を行う増幅装置で、基準信号を用いて歪補償に関する制御を行う構成に関して効率化を図る。【解決手段】増幅対象信号検出手段１１〜１３、２１が増幅対象となる信号を検出し、基準信号制御手段２１、１５が増幅対象信号検出手段により増幅対象となる信号が無入力であることが検出されたときには基準信号が非出力となるように制御を行う。【選択図】      図１
2004350230.tif 000002
【特許請求の範囲】
【請求項１】
増幅対象となる信号を増幅器により増幅して当該増幅信号に含まれる歪成分を検出する歪検出ループと、歪検出ループにより検出される歪成分を用いて当該増幅信号から歪成分を除去する歪除去ループを備え、増幅対象となる信号に基準信号を合成して当該基準信号を用いて歪補償に関する制御を行う増幅装置において、
前記増幅対象となる信号を検出し、当該検出された前記増幅対象となる信号の状態に応じて、前記基準信号の出力を制御する、
ことを特徴とする増幅装置。
【請求項２】
増幅対象となる信号を増幅器により増幅して当該増幅信号に含まれる歪成分を検出する歪検出ループと、歪検出ループにより検出される歪成分を用いて当該増幅信号から歪成分を除去する歪除去ループを備え、増幅対象となる信号に基準信号を合成して当該基準信号を用いて歪補償に関する制御を行う増幅装置において、
前記増幅対象となる信号を検出する増幅対象信号検出手段と、
前記増幅対象信号検出手段により前記増幅対象となる信号が無入力であることが検出されたときには前記基準信号が非出力となるように制御を行う基準信号制御手段と、
を備えたことを特徴とする増幅装置。
【請求項３】
増幅対象となる信号を増幅器により増幅して当該増幅信号に含まれる歪成分を検出する歪検出ループと、歪検出ループにより検出される歪成分を用いて当該増幅信号から歪成分を除去する歪除去ループを備え、増幅対象となる信号に基準信号を合成して当該基準信号を用いて歪補償に関する制御を行う増幅装置において、
前記増幅対象となる信号として、バースト信号が入力され、
前記増幅対象となる信号のレベルを検出する増幅対象信号レベル検出手段と、
前記増幅対象信号レベル検出手段により検出されるレベルに応じて、前記増幅対象となる信号に前記基準信号が非合成となるように制御を行う基準信号制御手段と、
を備えたことを特徴とする増幅装置。
【請求項４】
増幅対象となる信号を増幅器により増幅して当該増幅信号に含まれる歪成分を検出する歪検出ループと、歪検出ループにより検出される歪成分を用いて当該増幅信号から歪成分を除去する歪除去ループを備え、増幅対象となる信号に基準信号を合成して当該基準信号を用いて歪補償に関する制御を行う増幅装置において、
前記増幅対象となる信号として、バースト信号が入力され、
前記増幅対象となる信号のレベルを検出する増幅対象信号レベル検出手段と、
前記増幅対象信号レベル検出手段により検出されるレベルが所定の閾値未満或いは所定の閾値以下であるときには前記基準信号が非出力となるように制御を行う基準信号制御手段と、
を備えたことを特徴とする増幅装置。
【請求項５】
請求項１乃至請求項４のいずれか１項に記載の増幅装置において、
前記基準信号を発生させる機能及び当該基準信号の出力を停止するスイッチを有する基準信号発生回路を備え、
前記基準信号の制御を行う手段は、前記基準信号発生回路のスイッチをオフ状態とすることにより前記基準信号の出力を停止状態とする、
ことを特徴とする増幅装置。
【発明の詳細な説明】
【０００１】
【発明の属する技術分野】
本発明は、歪検出ループと歪除去ループを備えて増幅器で発生する歪を補償する増幅装置に関し、特に、基準信号を用いて歪補償に関する制御を行う構成に関して効率化を図った増幅装置に関する。
【０００２】
【従来の技術】
例えば、通信分野などでは、信号を増幅器により増幅することが行われており、また、信号を増幅するに際して増幅器で発生する歪を補償することが行われている。
具体的には、歪検出ループと歪除去ループを備えてフィードフォワード方式により歪補償を行う増幅装置や、前置歪発生器（プリディストータ）を備えてプリディストーション方式により歪補償を行う増幅装置などが検討等されている。また、基準信号となるパイロット信号を用いて歪補償に関する制御を行うことが検討等されている。
【０００３】
なお、従来技術の例を示す。
従来では、歪検出ループと歪除去ループを備えたフィードフォワード型の歪補償増幅器において、入力信号に対応する信号レベルに基づいてパイロット信号のレベルを調整することが行われていた（例えば、特許文献１参照。）
従来では、フィードフォワード方式の歪補償機能を有する電力増幅器において、入力されるキャリアの数にかかわらずに、歪補償を行うための基準となる信号が常に存在するように制御することが行われていた（例えば、特許文献２参照）。
【０００４】
従来では、フィードフォワード型の共通増幅装置において、パイロット信号の周波数を帯域外の第１周波数に設定した場合における歪抑圧量の周波数依存性に基づいて、パイロット信号の周波数を、パイロット信号のレベルが帯域内のスプリアスとなるレベル以下となるような帯域内の第２周波数へ再設定することが行われていた（例えば、特許文献３参照。）。
従来では、歪検出ループと歪除去ループを備えた増幅装置において、周波数が異なる複数のパイロット信号を用いて、歪除去ループにおけるベクトル調整を制御することが行われていた（例えば、特許文献４参照。）。
【０００５】
【特許文献１】
特開２００２−７６７８６号公報
【特許文献２】
特開２００２−１８５２６７号公報
【特許文献３】
特開２００２−１７６３２０号公報
【特許文献４】
特開２００２−７６７８３号公報
【０００６】
【発明が解決しようとする課題】
しかしながら、従来の歪補償機能付きの増幅装置（歪補償増幅装置）では、基準信号を用いて歪補償に関する制御を行う構成に関して未だ不十分であり、更なる開発が要求されていた。
本発明は、このような従来の事情に鑑み為されたもので、歪検出ループと歪除去ループを備えて増幅器で発生する歪を補償する構成において、基準信号を用いて歪補償に関する制御を行う構成に関して効率化を図ることができる増幅装置を提供することを目的とする。
【０００７】
【課題を解決するための手段】
上記目的を達成するため、本発明に係る増幅装置では、歪検出ループにおいて増幅対象となる信号を増幅器により増幅して当該増幅信号に含まれる歪成分を検出し、歪除去ループにおいて歪検出ループにより検出される歪成分を用いて当該増幅信号から歪成分を除去し、また、増幅対象となる信号に基準信号を合成して当該基準信号を用いて歪補償に関する制御を行うに際して、次のような処理を行う。
すなわち、増幅対象となる信号を検出し、そして、基準信号制御手段が、当該検出された増幅対象となる信号の状態に応じて、基準信号の出力を制御する。
【０００８】
従って、例えば、基準信号が不要なときには、増幅対象となる信号に基準信号が挿入されないように制御することにより、基準信号を用いて歪補償に関する制御を行う構成に関して効率化を図ることができ、具体的には、例えば、低消費電力化を図ることや、増幅信号の特性の改善を図ることができる。
【０００９】
なお、増幅対象となる信号の状態に応じて基準信号の出力を制御する態様としては、種々な態様が用いられてもよく、例えば、増幅対象となる信号が無入力信号であるときには基準信号が無出力となるように制御する態様や、増幅対象となるバースト信号のレベルが比較的に小さいときには基準信号が無出力となるように制御する態様などを用いることができる。また、増幅対象となる信号の状態としては、例えば、信号の入力の有無や、信号のレベルや、信号の種類や、信号のタイミングなどのように、種々な状態が用いられてもよい。
【００１０】
ここで、増幅対象となる信号としては、種々な信号が用いられてもよく、例えば、通信分野では、通信される信号などが用いられる。
また、増幅器としては、種々なものが用いられてもよく、例えば、１つの増幅素子から構成されるものが用いられてもよく、或いは、複数の増幅素子を組み合わせて構成されるものが用いられてもよい。
【００１１】
また、歪成分としては、例えば、増幅器で発生する３次歪などの歪の成分が用いられる。
また、歪検出ループにより検出される歪成分としては、例えば、当該歪成分のみが検出されてもよく、或いは、当該歪成分と他の信号とが含まれる形で検出されてもよい。
【００１２】
また、増幅信号から歪成分を除去する程度としては、種々な程度が用いられてもよく、つまり、歪補償の精度としては、種々な精度が用いられてもよい。
また、歪検出ループや、歪除去ループとしては、それぞれ、種々な構成のものが用いられてもよい。
【００１３】
また、基準信号としては、種々な信号が用いられてもよい。
また、基準信号を増幅対象となる信号に合成する位置としては、種々な位置が用いられてもよい。
また、基準信号を増幅対象となる信号に合成した後に、基準信号に関する情報を検出する位置としては、種々な位置が用いられてもよい。
【００１４】
また、基準信号の数としては、種々な数が用いられてもよく、例えば、１つの基準信号が用いられてもよく、或いは、複数の基準信号が用いられてもよい。
また、複数の基準信号が用いられる場合には、例えば、それぞれの基準信号毎に、周波数や、増幅対象となる信号に合成する位置や、基準信号に関する情報を検出する位置などの一部或いは全部が異なっていてもよい。
また、基準信号を用いて歪補償に関する制御を行う態様としては、種々な態様が用いられてもよく、例えば、基準信号に基づいて歪補償の精度を向上させるように制御を行うような態様が用いられる。
【００１５】
なお、複数の基準信号が用いられる場合には、それぞれの基準信号毎に基準信号制御手段による制御を行うか否かが設定されてもよく、例えば、基準信号制御手段により全ての基準信号を無出力とするような態様が用いられてもよく、或いは、基準信号制御手段により所定の一部の基準信号のみを無出力とするような態様が用いられてもよい。
【００１６】
本発明に係る増幅装置では、歪検出ループにおいて増幅対象となる信号を増幅器により増幅して当該増幅信号に含まれる歪成分を検出し、歪除去ループにおいて歪検出ループにより検出される歪成分を用いて当該増幅信号から歪成分を除去し、また、増幅対象となる信号に基準信号を合成して当該基準信号を用いて歪補償に関する制御を行うに際して、次のような処理を行う。
すなわち、増幅対象信号検出手段が増幅対象となる信号を検出し、そして、基準信号制御手段が、増幅対象信号検出手段により増幅対象となる信号が無入力である（つまり、入力されない）ことが検出されたときには、基準信号が非出力となる（つまり、出力されない）ように制御を行う。
【００１７】
従って、増幅対象となる信号が無入力であるときには、基準信号が非出力となるように制御されるため、つまり、増幅対象となる信号が無入力であるという基準信号が不要なときには、増幅対象となる信号に基準信号が挿入されないことから、基準信号を用いて歪補償に関する制御を行う構成に関して効率化を図ることができ、具体的には、例えば、低消費電力化を図ることや、増幅信号の特性の改善を図ることができる。
【００１８】
ここで、増幅対象となる信号が無入力（無入力信号）であることとしては、例えば、増幅対象となる信号が入力されないことや、或いは、増幅対象となる信号が入力されるが実用上では入力されていないとみなすことが可能な程度に入力レベルが小さいことなどが用いられる。
【００１９】
また、増幅対象となる信号が無入力（無入力信号）であることを検出する仕方としては、種々な仕方が用いられてもよく、例えば、増幅対象となる信号として入力される信号のレベル、又は、レベルの変化、又は、波形などに基づいて増幅対象となる信号が入力されているか否かを判定するような仕方や、或いは、増幅対象となる信号が入力される周期に基づいて増幅対象となる信号が入力されているか否かを判定するような仕方や、或いは、増幅対象となる信号が入力される予定の時期（タイミング）に関する情報に基づいて増幅対象となる信号が入力されているか否かを判定するような仕方などを用いることができる。
【００２０】
また、基準信号が非出力となるように制御を行う態様としては、種々な態様が用いられてもよく、例えば、基準信号を発振や発生させるが、当該発振や当該発生した基準信号が増幅対象となる信号に合成されるために出力される部分からの当該出力を遮断して非出力とするような態様を用いることや、或いは、基準信号を発振や発生させる源となる処理部における当該発振や当該発生を停止させて非出力とするような態様を用いることができる。
【００２１】
また、基準信号制御手段では、例えば、増幅対象となる信号が無入力（無入力信号）であるとき以外では、つまり、増幅対象となる信号が入力されるときには、基準信号を出力して、増幅対象となる信号に基準信号が合成されるように制御を行うような態様を用いることができる。
【００２２】
本発明に係る増幅装置では、歪検出ループにおいて増幅対象となる信号を増幅器により増幅して当該増幅信号に含まれる歪成分を検出し、歪除去ループにおいて歪検出ループにより検出される歪成分を用いて当該増幅信号から歪成分を除去し、また、増幅対象となる信号に基準信号を合成して当該基準信号を用いて歪補償に関する制御を行うに際して、例えば増幅対象となる信号としてバースト信号が入力される場合に、次のような処理を行う。
すなわち、増幅対象信号レベル検出手段が増幅対象となる信号のレベルを検出し、そして、基準信号制御手段が、増幅対象信号レベル検出手段により検出されるレベルに応じて、増幅対象となる信号に基準信号が非合成となる（つまり、合成されない）ように制御を行う。
【００２３】
従って、例えば、増幅対象となる信号のレベルが比較的に小さい場合には、増幅対象となるバースト信号が無入力状態（つまり、入力されていない状態）であるとみなして、増幅対象となる信号に基準信号が非合成となるように制御されるため、つまり、増幅対象となるバースト信号が無入力状態であるという基準信号が不要なときには、増幅対象となる信号に基準信号が挿入されないことから、基準信号を用いて歪補償に関する制御を行う構成に関して効率化を図ることができ、具体的には、例えば、低消費電力化を図ることや、増幅信号の特性の改善を図ることができる。
【００２４】
ここで、増幅対象となる信号のレベルとしては、種々なものが用いられてもよく、例えば、振幅のレベルや、電力のレベルなどを用いることができる。
また、増幅対象となる信号に基準信号が非合成となるようにすることは、増幅対象となる信号に基準信号が合成されないようにすることを表す。
また、増幅対象となる信号に基準信号が非合成となるようにする仕方としては、例えば、基準信号を非発生とするような仕方つまり基準信号を発生させないようにする仕方や、或いは、基準信号は発生させるが当該基準信号が増幅対象となる信号に合成されないようにする仕方を用いることができる。
【００２５】
本発明に係る増幅装置では、歪検出ループにおいて増幅対象となる信号を増幅器により増幅して当該増幅信号に含まれる歪成分を検出し、歪除去ループにおいて歪検出ループにより検出される歪成分を用いて当該増幅信号から歪成分を除去し、また、増幅対象となる信号に基準信号を合成して当該基準信号を用いて歪補償に関する制御を行うに際して、例えば増幅対象となる信号としてバースト信号が入力される場合に、次のような処理を行う。
すなわち、増幅対象信号レベル検出手段が増幅対象となる信号のレベルを検出し、そして、基準信号制御手段が、増幅対象信号レベル検出手段により検出されるレベルが所定の閾値未満或いは所定の閾値以下であるときには、基準信号が無出力となる（つまり、出力されない）ように制御を行う。
【００２６】
従って、増幅対象となる信号のレベルが比較的に小さい場合には、増幅対象となるバースト信号が無入力状態（つまり、入力されていない状態）であるとみなして、基準信号が無出力となるように制御されるため、つまり、増幅対象となるバースト信号が無入力状態であるという基準信号が不要なときには、増幅対象となる信号に基準信号が挿入されないことから、基準信号を用いて歪補償に関する制御を行う構成に関して効率化を図ることができ、具体的には、例えば、低消費電力化を図ることや、増幅信号の特性の改善を図ることができる。
【００２７】
ここで、増幅対象となる信号のレベルに関する所定の閾値としては、例えば装置の使用状況などに応じて、種々な値が用いられてもよい。
また、基準信号制御手段では、例えば、増幅対象となる信号のレベルが所定の閾値未満であるとき或いは所定の閾値以下であるとき以外では、つまり、増幅対象となる信号のレベルが所定の閾値以上であるとき或いは所定の閾値を超えるときには、基準信号を出力して、増幅対象となる信号に基準信号が合成されるように制御を行うような態様を用いることができる。
【００２８】
また、増幅対象となる信号のレベルが所定の閾値未満或いは所定の閾値以下であるときに基準信号制御手段により所定の制御を行う態様としては、例えば、当該レベルが所定の閾値未満であるときに所定の制御を行う態様が用いられてもよく、或いは、当該レベルが所定の閾値以下であるときに所定の制御を行う態様が用いられてもよい。つまり、基準信号制御手段では、増幅対象信号レベル検出手段により検出されるレベルが所定の閾値と等しいときについては、基準信号を無出力として増幅対象となる信号に基準信号が非合成となるように制御を行うか否かについては任意であってもよい。
【００２９】
本発明に係る増幅装置では、基準信号を発生させる機能及び基準信号の出力を停止するスイッチを有する基準信号発生回路を備えた。そして、基準信号の制御を行う手段（基準信号制御手段）は、基準信号発生回路のスイッチをオフ状態とすることにより、基準信号の出力を停止状態とする。
従って、基準信号発生回路に設けられたスイッチにより、基準信号の出力を停止させて、増幅対象となる信号に基準信号が非合成となるように制御を行うことができる。
【００３０】
ここで、基準信号発生回路としては、種々な構成のものが用いられてもよい。
また、スイッチとしては、種々なものが用いられてもよく、例えば、オフ状態とされると信号を通過させず、オン状態とされると信号を通過させるようなものが用いられる。
また、スイッチが設けられる位置としては、種々な位置が用いられてもよい。
【００３１】
以下で、更に、本発明に係る構成例を示す。
一構成例として、本発明に係る増幅装置では、増幅対象となる信号が無入力信号であることを検出する無入力信号検出手段と、無入力信号検出手段により増幅対象となる信号が無入力信号であることが検出されたときには増幅対象となる信号に基準信号が非合成となるように制御を行う基準信号制御手段と、を備えた。
すなわち、増幅対象となる信号が無入力信号であるときには、無入力信号検出手段が、増幅対象となる信号が無入力信号であることを検出する。そして、基準信号制御手段が、無入力信号検出手段により増幅対象となる信号が無入力信号であることが検出されたときには、増幅対象となる信号に基準信号が非合成となるように制御を行う。
【００３２】
従って、増幅対象となる信号が無入力信号であるときには、増幅対象となる信号に基準信号が非合成となるように制御されるため、つまり、増幅対象となる信号が無入力信号であるという基準信号が不要なときには、増幅対象となる信号に基準信号が挿入されないことから、基準信号を用いて歪補償に関する制御を行う構成に関して効率化を図ることができ、具体的には、例えば、低消費電力化を図ることや、増幅信号の特性の改善を図ることができる。
【００３３】
なお、複数の基準信号が用いられる場合には、それぞれの基準信号毎に基準信号制御手段による制御を行うか否かが設定されてもよく、例えば、基準信号制御手段により全ての基準信号が増幅対象となる信号に非合成となるようにする態様が用いられてもよく、或いは、基準信号制御手段により所定の一部の基準信号のみが増幅対象となる信号に非合成となるようにする態様が用いられてもよい。
【００３４】
一構成例として、本発明に係る増幅装置では、増幅対象信号レベル検出手段が増幅対象となる信号のレベルを検出し、そして、基準信号制御手段が、増幅対象信号レベル検出手段により検出されるレベルが所定の閾値未満或いは所定の閾値以下であるときには、増幅対象となる信号に基準信号が非合成となるように制御を行う。
【００３５】
一構成例として、本発明に係る増幅装置では、基準信号を発生させる基準信号発生回路を備えた。そして、基準信号制御手段は、基準信号発生回路の出力端に設けられたスイッチをオフ状態とすることにより、例えば基準信号を無出力として、増幅対象となる信号に基準信号が非合成となる状態とする。
従って、基準信号発生回路の出力端に設けられたスイッチにより、増幅対象となる信号に基準信号が非合成となるように制御を行うことができる。
【００３６】
ここで、スイッチとしては、例えば、基準信号発生回路の出力端と直接的に接続されてもよく、或いは、基準信号発生回路の出力端と他の回路素子を介して間接的に接続されてもよい。
【００３７】
一構成例として、本発明に係る増幅装置では、増幅部を有して構成されて基準信号を発生させる基準信号発生回路を備えた。そして、基準信号制御手段は、基準信号発生回路を構成する増幅部の電源ラインに設けられたスイッチをオフ状態とすることにより、例えば基準信号を無出力として、増幅対象となる信号に基準信号が非合成となる状態とする。
従って、基準信号発生回路を構成する増幅部の電源ラインに設けられたスイッチにより、増幅対象となる信号に基準信号が非合成となるように制御を行うことができる。
【００３８】
ここで、増幅部を有して構成される基準信号発生回路としては、種々な構成のものが用いられてもよい。
また、スイッチとしては、種々なものが用いられてもよく、例えば、オフ状態とされると電源信号を通過させず、オン状態とされると電源信号を通過させるようなものが用いられる。
また、スイッチとしては、例えば、増幅部の電源入力端と直接的に接続されてもよく、或いは、増幅部の電源入力端と他の回路素子を介して間接的に接続されてもよい。
【００３９】
一構成例として、本発明に係る増幅装置では、ＰＬＬとＶＣＯの一方又は両方を有して構成されて基準信号を発生させる基準信号発生回路を備えた。そして、基準信号制御手段は、基準信号発生回路を構成するＰＬＬとＶＣＯの一方又は両方の電源ラインに設けられたスイッチをオフ状態とすることにより、例えば基準信号を無出力として、増幅対象となる信号に基準信号が非合成となる状態とする。
従って、基準信号発生回路を構成するＰＬＬやＶＣＯの電源ラインに設けられたスイッチにより、増幅対象となる信号に基準信号が非合成となるように制御を行うことができる。
【００４０】
ここで、基準信号発生回路としては、種々な構成のものが用いられてもよく、例えば、ＰＬＬとＶＣＯの一方のみを有して構成されるものが用いられてもよく、或いは、ＰＬＬとＶＣＯの両方を有して構成されるものが用いられてもよい。
また、基準信号発生回路がＰＬＬとＶＣＯの両方を有して構成される場合には、例えば、ＰＬＬとＶＣＯの一方に対してのみスイッチが備えられて基準信号制御手段による制御が行われてもよく、或いは、ＰＬＬとＶＣＯの両方に対して個別なスイッチ又は共通なスイッチが備えられて基準信号制御手段による制御が行われてもよい。
【００４１】
また、スイッチとしては、種々なものが用いられてもよく、例えば、オフ状態とされると電源信号を通過させず、オン状態とされると電源信号を通過させるようなものが用いられる。
また、スイッチとしては、例えば、ＰＬＬやＶＣＯの電源入力端と直接的に接続されてもよく、或いは、ＰＬＬやＶＣＯの電源入力端と他の回路素子を介して間接的に接続されてもよい。
【００４２】
以下で、更に、本発明に係る構成例を示す。
本発明に係る増幅装置では、一構成例として、基準信号制御手段は、増幅対象となる信号に基準信号が合成される状態と、増幅対象となる信号に基準信号が非合成となる状態とを切り替える。
本発明に係る増幅装置では、一構成例として、基準信号制御手段は、スイッチをオンオフ切替することにより、増幅対象となる信号に基準信号が合成される状態と、増幅対象となる信号に基準信号が非合成となる状態とを切り替える。
【００４３】
なお、基準信号制御手段では、例えば、増幅対象となる信号に基準信号が合成される状態と、増幅対象となる信号に基準信号が非合成となる状態とのそれぞれの状態について、それぞれに対応した制御動作によりそれぞれの状態へ切り替えるような態様が用いられてもよく、或いは、特に制御動作が行われないときには一方の状態としておいて、他方の状態に対応した制御動作により他方の状態へ切り替え、当該制御動作を停止することにより一方の状態へ切り替えるような態様が用いられてもよい。
【００４４】
本発明に係る増幅装置では、一構成例として、次のような構成を用いる。
すなわち、歪検出ループは、増幅対象となる信号を分配手段により分配して、一方の分配信号を増幅器により増幅し、当該増幅信号と他方の分配信号とを合成して、当該合成結果を、当該増幅信号に含まれる歪成分を含む信号（歪成分信号）として、検出する。
【００４５】
また、基準信号合成手段が、分配手段により分配される前における増幅対象となる信号に基準信号（ここで、第１の基準信号と言う）を合成する。そして、歪補償処理制御手段が、歪検出ループにより検出される信号（歪成分信号）に含まれる第１の基準信号のレベルが小さくなるように、歪検出ループにおける歪補償に関する処理を制御する。
また、当該歪検出ループにおける歪補償に関する処理としては、例えば、一方の分配信号の振幅と位相との一方又は両方を変化させる処理が用いられる。
【００４６】
ここで、分配手段としては、種々なものが用いられてもよく、例えば、分配器や、信号を分岐する配線などを用いることができる。
また、歪検出ループにおける増幅信号と他方の分配信号との合成結果としては、例えば、増幅対象となる信号（及び、第１の基準信号）の成分について、当該増幅信号に含まれる成分と当該他の分配信号に含まれる成分とが互いに打ち消し合うように合成された結果が用いられる。このような合成結果には、増幅器で発生した歪の成分が含まれる。
【００４７】
また、歪検出ループにより検出される信号（歪成分信号）に含まれる第１の基準信号のレベルが小さくなるようにする態様としては、例えば、当該レベルが最小となるようにする態様や、当該レベルが所定の閾値レベル未満（又は、所定の閾値レベル以下）となるようにする態様などを用いることができる。
なお、本構成では、歪検出ループにより検出される信号（歪成分信号）に含まれる第１の基準信号のレベルが小さくなると、当該歪成分信号に含まれる増幅対象となる信号のレベルが小さくなり、歪成分の検出精度が向上するとみなすことができる。
【００４８】
また、信号の振幅を変化させる処理としては、例えば、可変な減衰量で信号の振幅を減衰させることが可能な可変減衰器や、可変な増幅量で信号の振幅を増加させることが可能な可変増幅器を用いて行うことができる。
また、信号の位相を変化させる処理としては、例えば、可変な変化量で信号の位相を変化させることが可能な可変移相器を用いて行うことができる。
また、例えば、可変な振幅変化量及び可変な位相変化量で信号の振幅及び位相を変化させることが可能なベクトル調整器を用いることもできる。
【００４９】
本発明に係る増幅装置では、一構成例として、次のような構成を用いる。
すなわち、基準信号合成手段が、歪検出ループにおいて増幅器により増幅される前における増幅対象となる信号に基準信号（ここで、第２の基準信号と言う）を合成する。そして、歪補償処理制御手段が、歪除去ループによる歪除去後の増幅信号に含まれる第２の基準信号のレベルが小さくなるように、歪除去ループにおける歪補償に関する処理を制御する。
また、当該歪除去ループにおける歪補償に関する処理としては、例えば、歪検出ループにより検出される信号（歪成分信号）の振幅と位相との一方又は両方を変化させる処理が用いられる。
【００５０】
ここで、歪除去ループによる歪除去後の増幅信号に含まれる第２の基準信号のレベルが小さくなるようにする態様としては、例えば、当該レベルが最小となるようにする態様や、当該レベルが所定の閾値レベル未満（又は、所定の閾値レベル以下）となるようにする態様などを用いることができる。
なお、本構成では、歪除去ループによる歪除去後の増幅信号に含まれる第２の基準信号のレベルが小さくなると、当該歪除去後の増幅信号に含まれる歪成分のレベルが小さくなり、歪成分の除去精度が向上するとみなすことができる。
【００５１】
本発明に係る増幅装置は、例えば、無線又は有線の通信システム、通信装置、送信機、送受信機に設けられ、具体的には、例えば、移動通信システムや、基地局装置や、中継局装置に設けられ、例えば、マルチキャリア信号を増幅する共通増幅装置などに適用される。
本発明に係る増幅装置では、例えば、増幅対象となる信号として、送信対象となる信号が用いられる。
【００５２】
ここで、通信システムとしては、種々なものが用いられてもよく、例えば、携帯電話システムや簡易型携帯電話システム（ＰＨＳ：Ｐｅｒｓｏｎａｌ  Ｈａｎｄｙ  ｐｈｏｎｅ  Ｓｙｓｔｅｍ）などの移動通信システムが用いられてもよく、或いは、ＦＷＡ（Ｆｉｘｅｄ  Ｗｉｒｅｌｅｓｓ  Ａｃｃｅｓｓ）などと称せされる加入者無線アクセスシステムなどの固定通信システムが用いられてもよい。
【００５３】
また、通信方式としては、種々なものが用いられてもよく、例えば、ＣＤＭＡ（Ｃｏｄｅ  Ｄｉｖｉｓｉｏｎ  Ｍｕｌｔｉｐｌｅ  Ａｃｃｅｓｓ）方式や、Ｗ（Ｗｉｄｅｂａｎｄ）−ＣＤＭＡ方式や、ＴＤＭＡ（Ｔｉｍｅ  Ｄｉｖｉｓｉｏｎ  Ｍｕｌｔｉｐｌｅ  Ａｃｃｅｓｓ）方式や、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式などが用いられてもよい。
なお、本発明に係る技術思想は、例えば、増幅器で発生する歪を補償するに際して、増幅対象となる信号に基準信号を合成して、当該基準信号を用いて歪補償に関する制御を行う種々なものに適用することが可能である。
【００５４】
【発明の実施の形態】
本発明に係る実施例を図面を参照して説明する。
本実施例では、キャンセルしたい信号を相殺法を用いて打ち消すフィードフォワード方式により歪補償を行う増幅装置に本発明を適用した場合を示す。また、本実施例に係る増幅装置は、無線通信システムの基地局装置や中継局装置に設けられて、移動局装置などに対して送信する対象となる信号を増幅器により増幅するに際して、当該増幅器で発生する歪を補償し、また、基準信号となるパイロット信号を用いて当該歪補償に関する制御を行う。
【００５５】
第１実施例に係る増幅装置を説明する。
図１には、本例の増幅装置の構成例を示してある。
本例の増幅装置には、第１の方向性結合器１と、第１のベクトル調整器２と、主増幅器３と、第１の遅延線４と、第２の方向性結合器５と、第２の遅延線６と、第２のベクトル調整器７と、補助増幅器（誤差増幅器）８と、第３の方向性結合器９が備えられている。
【００５６】
ここで、第１の方向性結合器１、第１のベクトル調整器２、主増幅器３、第１の遅延線４、及び第２の方向性結合器５の機能により、歪検出ループが構成されている。
また、第２の遅延線６、第２のベクトル調整器７、補助増幅器８、及び第３の方向性結合器９の機能により、歪除去ループが構成されている。
【００５７】
また、本例の増幅装置には、結合器１１と、検波回路１２と、Ａ／Ｄ（Ａｎａｌｏｇ  ｔｏ  Ｄｉｇｉｔａｌ）変換器１３が備えられており、これらの機能により、入力信号のレベルを検出する機能部が構成されている。
また、本例の増幅装置には、発振器１４と、スイッチ（ＳＷ）１５と、結合器１６が備えられており、これらの機能により、パイロット信号（試験信号）を入力信号に合成する機能部が構成されている。
【００５８】
また、本例の増幅装置には、結合器１７と、受信器１８が備えられており、これらの機能により、歪検出ループにより検出される歪成分信号に関する情報を取得する機能部が構成されている。
また、本例の増幅装置には、結合器１９と、受信器２０が備えられており、これらの機能により、歪除去ループによる歪除去後の増幅信号に関する情報を取得する機能部が構成されている。
また、本例の増幅装置には、制御部２１が備えられており、この機能により、本例の増幅装置における各種の処理や制御を行う機能部が構成されている。
【００５９】
本例の増幅装置により行われる動作の一例を示す。
歪検出ループにおける動作の一例を示す。
本例の増幅装置に入力される信号（入力信号）は、第１の方向性結合器１に入力される。
第１の方向性結合器１は、入力信号を２つに分配して、一方の分配信号を第１のベクトル調整器２へ出力し、他方の分配信号を第１の遅延線４へ出力する。
【００６０】
第１のベクトル調整器２は、一方の分配信号の振幅や位相をベクトル調整して、当該ベクトル調整後の信号を主増幅器３へ出力する。
主増幅器３は、第１のベクトル調整器２から入力される信号を増幅して、当該増幅信号を第２の方向性結合器５へ出力する。ここで、主増幅器３では、信号を増幅するに際して、歪が発生する。
【００６１】
第１の遅延線４は、他方の分配信号を遅延させて第２の方向性結合器５へ出力する。
第２の方向性結合器５は、主増幅器３から入力される増幅信号を分配して、分配した一方の増幅信号を第２の遅延線６へ出力し、分配した他方の増幅信号と第１の遅延線４から入力される信号とを合成（結合）した結果を歪成分信号として第２のベクトル調整器７へ出力する。
【００６２】
ここで、第２の方向性結合器５における当該信号合成では、例えば、分配した他方の増幅信号と第１の遅延線４からの信号とが入力信号の成分に関して同一の振幅且つ逆の位相（１８０度異なる位相）で合成されるように、つまり、分配した他方の増幅信号に含まれる入力信号の成分と第１の遅延線４からの信号に含まれる入力信号の成分とが互いに打ち消されるように、第１のベクトル調整器２によるベクトル調整量が制御部２１により制御される。
【００６３】
歪除去ループにおける動作の一例を示す。
第２の遅延線６は、第２の方向性結合器５から入力される増幅信号を遅延させて第３の方向性結合器９へ出力する。
第２のベクトル調整器７は、第２の方向性結合器５から入力される歪成分信号をベクトル調整して、当該ベクトル調整後の歪成分信号を補助増幅器８へ出力する。
【００６４】
補助増幅器８は、ベクトル調整器７から入力される歪成分信号を増幅して第３の方向性結合器９へ出力する。
第３の方向性結合器９は、第２の遅延線６から入力される増幅信号と補助増幅器８から入力される歪成分信号とを合成（結合）した結果を、歪除去後の増幅信号として出力する。当該歪除去後の増幅信号は、本例の増幅装置から出力される信号（出力信号）となる。
【００６５】
ここで、第３の方向性結合器９における当該信号合成では、例えば、第２の遅延線６からの増幅信号と補助増幅器８からの歪成分信号とが歪の成分に関して同一の振幅且つ逆の位相（１８０度異なる位相）で合成されるように、つまり、第２の遅延線６からの増幅信号に含まれる歪成分と補助増幅器８からの歪成分信号に含まれる歪成分とが互いに打ち消されるように、第２のベクトル調整器７によるベクトル調整量が制御部２１により制御される。
【００６６】
歪検出ループ及び歪除去ループにより行われる歪補償に関する制御を行う動作の一例を示す。
結合器１１は、第１の方向性結合器１に入力される信号（入力信号）の一部を取得して検波回路１２へ出力する。
検波回路１２は、結合器１１から入力される信号を検波して、これにより得られる入力信号のレベルを表すアナログ信号をＡ／Ｄ変換器１３へ出力する。
Ａ／Ｄ変換器１３は、検波回路１２から入力されるアナログ信号をデジタル信号へ変換して制御部２１へ出力する。当該デジタル信号は、入力信号のレベル値を表す。
【００６７】
発振器１４は、所定のパイロット信号を発生させてスイッチ１５へ出力する。
スイッチ１５は、制御部２１による制御に従ってオン状態或いはオフ状態に切り替えられ、オン状態では発振器１４から入力されるパイロット信号を結合器１６へ出力し、オフ状態では発振器１４から入力されるパイロット信号を結合器１６へ出力しないようにする。
結合器１６は、スイッチ１５からパイロット信号が入力される場合には、第１のベクトル調整器２から主増幅器３へ伝送される信号に、当該パイロット信号を合成（結合）させる。この場合、主増幅器３には、第１のベクトル調整器２から出力される信号とパイロット信号とが合成された信号が入力される。
【００６８】
結合器１７は、第２の方向性結合器５から第２のベクトル調整器７へ伝送される歪成分信号の一部を取得して受信器１８へ出力する。
受信器１８は、結合器１７から入力される信号を受信して、当該受信結果を制御部２１へ出力する。
【００６９】
結合器１９は、第３の方向性結合器９から出力される歪除去後の増幅信号の一部を取得して受信器２０へ出力する。
受信器２０は、例えば、結合器１９から入力される信号に含まれるパイロット信号の成分を受信し、当該受信結果を制御部２１へ出力する。
【００７０】
制御部２１は、受信器１８から入力される受信結果に基づいて、例えば、第２の方向性結合器５により検出される歪成分信号が最小となるように、つまり、当該歪成分信号に含まれる入力信号の成分が最小となるように、歪検出ループの第１のベクトル調整器２を制御する。
また、制御部２１は、受信器２０から入力される受信結果に基づいて、例えば、第３の方向性結合器９から出力される歪除去後の増幅信号に含まれるパイロット信号の成分が最小となるように、つまり、当該歪除去後の増幅信号に含まれる歪成分が最小となるように、歪除去ループの第２のベクトル調整器７を制御する。
【００７１】
また、制御部２１は、Ａ／Ｄ変換器１３から入力される入力信号のレベル値の情報に基づいてスイッチ１５のオンオフ状態を制御し、具体的には、入力信号が入力されているときにはスイッチ１５がオン状態となる一方で、入力信号が入力されていないときにはスイッチ１５がオフ状態となるように制御する。
【００７２】
なお、スイッチ１５のオンオフ状態を切り替えるタイミングとしては、実用上で有効な種々なタイミングが用いられてもよく、一例として、第１のベクトル調整器２から主増幅器３へ伝送される信号に増幅対象となる入力信号が含まれるときにはスイッチ１５をオン状態としてパイロット信号が合成されるようにし、第１のベクトル調整器２から主増幅器３へ伝送される信号に増幅対象となる入力信号が含まれないときにはスイッチ１５をオフ状態としてパイロット信号が合成されないようにする態様を用いることができる。
【００７３】
以上のように、本例の増幅装置では、歪検出ループと歪除去ループを備えて、少なくとも１つのパイロット信号を入力して、当該パイロット信号を検出した結果に基づくパイロット信号のレベルが最小になるように制御を行う構成において、入力信号を検出する検波回路１２及び検出される入力信号のレベル値をデジタル信号へ変換するＡ／Ｄ変換器１３による検出結果に基づいて、入力信号の有無を判定して、入力信号が入力されていないときにはスイッチ１５を制御してパイロット信号が出力されないように制御することが行われる。
【００７４】
従って、本例の増幅装置では、増幅対象となる入力信号が存在しないといった必要のないときにはパイロット信号が出力されないため、例えば、安定した歪補償動作を実現することや、歪補償量を確保することや、広帯域な歪補償動作を実現することや、増幅信号の特性を改善することや、低消費電力化を図ることなどが可能である。
【００７５】
なお、本例の増幅装置では、主増幅器３により歪補償の対象となる増幅器が構成されており、発振器１４から出力されるパイロット信号により基準信号（第２の基準信号）が構成されており、結合器１６の機能により基準信号合成手段（第２の基準信号合成手段）が構成されており、制御部２１が第２のベクトル調整器７を制御する機能により歪補償処理制御手段（第２の歪補償処理制御手段）が構成されている。
【００７６】
また、本例の増幅装置では、検波回路１２やＡ／Ｄ変換器１３や制御部２１の機能により増幅対象信号検出手段が構成されており、検波回路１２及びＡ／Ｄ変換器１３による検出結果に基づいて制御部２１が無入力信号状態を検出する機能により無入力信号検出手段が構成されており、制御部２１がスイッチ１５を制御して増幅対象となる信号とパイロット信号とを非合成とする機能により基準信号制御手段が構成されている。
【００７７】
第２実施例に係る増幅装置を説明する。
図２には、本例の増幅装置の構成例を示してある。
本例の増幅装置には、歪検出ループ及び歪除去ループを構成する各処理部１〜９と、結合器１１と、検波回路１２と、Ａ／Ｄ変換器１３が備えられている。ここで、これら各処理部１〜９、１１〜１３の構成や動作は、例えば上記第１実施例の図１に示した増幅装置の場合と同様であり、本例では、同一の符号を用いて示してあり、詳しい説明を省略する。
【００７８】
本例の増幅装置では、互いに周波数が異なる２つのパイロット信号（以下で、パイロット信号Ａ、パイロット信号Ｂと言う）が用いられている。
具体的には、本例の増幅装置には、発振器３１と、スイッチ（ＳＷ）３２と、結合器３３が備えられており、これらの機能により、パイロット信号Ａを入力信号に合成する機能部が構成されている。
同様に、本例の増幅装置には、発振器３４と、スイッチ（ＳＷ）３５と、結合器３６が備えられており、これらの機能により、パイロット信号Ｂを入力信号に合成する機能部が構成されている。
【００７９】
また、本例の増幅装置には、結合器３７と、受信器３８が備えられており、これらの機能により、パイロット信号Ａについて、歪除去ループによる歪除去後の増幅信号に関する情報を取得する機能部が構成されている。
同様に、本例の増幅装置には、結合器３９と、受信器４０が備えられており、これらの機能により、パイロット信号Ｂについて、歪除去ループによる歪除去後の増幅信号に関する情報を取得する機能部が構成されている。
また、本例の増幅装置には、制御部４１が備えられており、この機能により、本例の増幅装置における各種の処理や制御を行う機能部が構成されている。
【００８０】
本例の増幅装置により行われる動作の一例を示す。
なお、本例では、上記第１実施例の図１に示した増幅装置の場合と同様な動作部分については説明を省略或いは簡略化する。
発振器３１は所定のパイロット信号Ａを発生させ、スイッチ３２は制御部４１による制御に従ってオン状態或いはオフ状態に切り替えられ、結合器３３はスイッチ３２からパイロット信号Ａが入力される場合には第１のベクトル調整器２から主増幅器３へ伝送される信号に当該パイロット信号Ａを合成させる。
【００８１】
同様に、発振器３４は所定のパイロット信号Ｂを発生させ、スイッチ３５は制御部４１による制御に従ってオン状態或いはオフ状態に切り替えられ、結合器３６はスイッチ３５からパイロット信号Ｂが入力される場合には第１のベクトル調整器２から主増幅器３へ伝送される信号に当該パイロット信号Ｂを合成させる。
【００８２】
結合器３７は第３の方向性結合器９から出力される歪除去後の増幅信号の一部を取得し、受信器３８は結合器３７から入力される信号に含まれるパイロット信号Ａの成分を受信して当該受信結果を制御部４１へ出力する。
同様に、結合器３９は第３の方向性結合器９から出力される歪除去後の増幅信号の一部を取得し、受信器４０は結合器３９から入力される信号に含まれるパイロット信号Ｂの成分を受信して当該受信結果を制御部４１へ出力する。
【００８３】
制御部４１は、歪検出ループによる歪検出が精度よく行われるように、歪検出ループの第１のベクトル調整器２を制御する。
また、制御部４１は、２つの受信器３８、４０から入力される受信結果に基づいて、歪除去ループによる歪除去が精度よく行われるように、歪除去ループの第２のベクトル調整器７を制御する。
【００８４】
また、制御部４１は、Ａ／Ｄ変換器１３から入力される入力信号のレベル値の情報に基づいて２つのスイッチ３２、３５のオンオフ状態を制御し、具体的には、入力信号が入力されているときには２つのスイッチ３２、３５がオン状態となる一方で、入力信号が入力されていないときには２つのスイッチ３２、３５がオフ状態となるように制御する。
【００８５】
以上のように、本例の増幅装置では、歪除去ループにおける歪補償処理を制御するための複数のパイロット信号（パイロット信号Ａ、Ｂ）が用いられるような場合においても、上記第１実施例で示したのと同様な効果を得ることができる。
【００８６】
なお、本例の増幅装置では、発振器３１や発振器３４から出力されるパイロット信号Ａ、Ｂにより基準信号（第２の基準信号）が構成されており、結合器３３の機能や結合器３６の機能により基準信号合成手段（第２の基準信号合成手段）が構成されており、制御部４１が第２のベクトル調整器７を制御する機能により歪補償処理制御手段（第２の歪補償処理制御手段）が構成されている。
また、本例の増幅装置では、制御部４１がそれぞれのスイッチ３２、３５を制御して増幅対象となる信号とそれぞれのパイロット信号Ａ、Ｂとを非合成とする機能により基準信号制御手段が構成されている。
【００８７】
第３実施例に係る増幅装置を説明する。
図３には、本例の増幅装置の構成例を示してある。
本例の増幅装置には、歪検出ループ及び歪除去ループを構成する各処理部１〜９と、結合器１１と、検波回路１２と、Ａ／Ｄ変換器１３が備えられている。ここで、これら各処理部１〜９、１１〜１３の構成や動作は、例えば上記第１実施例の図１に示した増幅装置の場合と同様であり、本例では、同一の符号を用いて示してあり、詳しい説明を省略する。
【００８８】
本例の増幅装置では、歪検出ループにおける制御を行うためのパイロット信号（以下で、第１のパイロット信号と言う）と、歪除去ループにおける制御を行うためのパイロット信号（第２のパイロット信号）との、互いに周波数が異なる２つのパイロット信号が用いられている。
【００８９】
なお、本例では、第１のパイロット信号の周波数は、本来の信号（入力信号）の周波数帯域と比べて少し離隔した周波数位置に設定されており、また、第２のパイロット信号の周波数は、主増幅器３で発生する歪成分のうち、本来の信号（入力信号）が占有する周波数の隙間の位置、或いは、本来の信号（入力信号）の周波数帯域外の周波数位置に設定されている。
【００９０】
具体的には、本例の増幅装置には、発振器５１と、スイッチ（ＳＷ）５２と、結合器５３が備えられており、これらの機能により、第１のパイロット信号を入力信号に合成する機能部が構成されている。
また、本例の増幅装置には、発振器５４と、スイッチ（ＳＷ）５５と、結合器５６が備えられており、これらの機能により、第２のパイロット信号を入力信号に合成する機能部が構成されている。
【００９１】
また、本例の増幅装置には、結合器５７と、検波器５８が備えられており、これらの機能により、歪検出ループにより検出される歪成分信号に関する情報を取得する機能部が構成されている。
また、本例の増幅装置には、結合器５９と、受信器６０が備えられており、これらの機能により、歪除去ループによる歪除去後の増幅信号に関する情報を取得する機能部が構成されている。
また、本例の増幅装置には、制御部６１が備えられており、この機能により、本例の増幅装置における各種の処理や制御を行う機能部が構成されている。
【００９２】
本例の増幅装置により行われる動作の一例を示す。
なお、本例では、上記第１実施例の図１に示した増幅装置の場合と同様な動作部分については説明を省略或いは簡略化する。
発振器５１は第１のパイロット信号を発生させ、スイッチ５２は制御部６１による制御に従ってオン状態或いはオフ状態に切り替えられる。
結合器５３は、スイッチ５２がオン状態であってスイッチ５２から第１のパイロット信号が入力される場合には、第１の方向性結合器１に入力される前の入力信号に、当該第１のパイロット信号を合成させる。この場合、第１の方向性結合器１には、入力信号と第１のパイロット信号とが合成された信号が入力される。
【００９３】
発振器５４は第２のパイロット信号を発生させ、スイッチ５５は制御部６１による制御に従ってオン状態或いはオフ状態に切り替えられ、結合器５６はスイッチ５５から第２のパイロット信号が入力される場合には第１のベクトル調整器２から主増幅器３へ伝送される信号に当該第２のパイロット信号を合成させる。
【００９４】
結合器５７は、第２の方向性結合器５から第２のベクトル調整器７へ伝送される歪成分信号の一部を取得して検波器５８へ出力する。
検波器５８は、例えば、結合器５７から入力される信号に含まれる第１のパイロット信号の成分を検波し、当該検波結果を制御部６１へ出力する。
結合器５９は第３の方向性結合器９から出力される歪除去後の増幅信号の一部を取得し、受信器６０は結合器５９から入力される信号に含まれる第２のパイロット信号の成分を受信して当該受信結果を制御部６１へ出力する。
【００９５】
制御部６１は、検波器５８から入力される検波結果に基づいて、例えば、第２の方向性結合器５により検出される歪成分信号に含まれる第１のパイロット信号の成分が最小となるように、つまり、当該歪成分信号に含まれる入力信号の成分が最小となるように、歪検出ループの第１のベクトル調整器２を制御する。
また、制御部６１は、受信器６０から入力される受信結果に基づいて、歪除去ループによる歪除去が精度よく行われるように、歪除去ループの第２のベクトル調整器７を制御する。
【００９６】
また、制御部６１は、Ａ／Ｄ変換器１３から入力される入力信号のレベル値の情報に基づいて２つのスイッチ５２、５５のオンオフ状態を制御し、具体的には、入力信号が入力されているときには２つのスイッチ５２、５５がオン状態となる一方で、入力信号が入力されていないときには２つのスイッチ５２、５５がオフ状態となるように制御する。
【００９７】
以上のように、本例の増幅装置では、歪検出ループにおける歪補償処理を制御するためのパイロット信号（第１のパイロット信号）と、歪除去ループにおける歪補償処理を制御するためのパイロット信号（第２のパイロット信号）が用いられる場合においても、上記第１実施例で示したのと同様な効果を得ることができる。
【００９８】
なお、本例の増幅装置では、発振器５１から出力される第１のパイロット信号により第１の基準信号が構成されており、発振器５４から出力される第２のパイロット信号により第２の基準信号が構成されており、結合器５３の機能により第１の基準信号合成手段が構成されており、結合器５６の機能により第２の基準信号合成手段が構成されており、制御部６１が第１のベクトル調整器２を制御する機能により第１の歪補償処理制御手段が構成されており、制御部６１が第２のベクトル調整器７を制御する機能により第２の歪補償処理制御手段が構成されている。
また、本例の増幅装置では、制御部６１がそれぞれのスイッチ５２、５５を制御して増幅対象となる信号とそれぞれのパイロット信号を非合成とする機能により基準信号制御手段が構成されている。
【００９９】
第４実施例に係る増幅装置を説明する。
図４には、本例の増幅装置の構成例を示してある。
本例の増幅装置には、前置増幅器７１と、第１の方向性結合器７２と、主増幅器７３と、第１の遅延線（遅延ルート）７４と、第２の方向性結合器７５と、第２の遅延線（遅延ルート）７６と、振幅位相調整部７７と、補助増幅器（誤差増幅器）７８と、第３の方向性結合器７９と、終端器８０が備えられている。
【０１００】
ここで、前置増幅器７１、第１の方向性結合器７２、主増幅器７３、第１の遅延線７４、及び第２の方向性結合器７５の機能により、歪検出ループが構成されている。
また、第２の遅延線７６、振幅位相調整部７７、補助増幅器７８、第３の方向性結合器７９、及び終端器８０の機能により、歪除去ループが構成されている。
【０１０１】
また、本例の増幅装置には、結合器８１と、検波回路８２と、Ａ／Ｄ変換器８３が備えられており、これらの機能により、入力信号のレベルを検出する機能部が構成されている。
また、本例の増幅装置には、第１のパイロット信号を入力信号に合成するための結合器８４と、第２のパイロット信号を入力信号に合成するための結合器８５が備えられている。
【０１０２】
また、本例の増幅装置には、制御部８７が備えられている。
制御部８７には、パイロット信号入出力回路９１と、制御回路９２が備えられている。
パイロット信号入出力回路９１には、スイッチ（ＳＷ）９３が備えられている。
【０１０３】
本例の増幅装置により行われる動作の一例を示す。
歪検出ループにおける動作の一例を示す。
本例の歪検出ループにおける構成や動作は、例えば前置増幅器７１が備えられる点やベクトル調整器が備えられない点を除いては、上記第１実施例の図１に示した増幅装置の場合と同様であり、詳しい動作の説明を省略する。なお、前置増幅器７１は、入力信号を増幅して第１の方向性結合器７２へ出力する。
【０１０４】
歪除去ループにおける動作の一例を示す。
本例の歪除去ループにおける構成や動作は、例えばベクトル調整器に対応する振幅位相調整部７７が備えられる点や終端器８０が備えられる点を除いては、上記第１実施例の図１に示した増幅装置の場合と同様であり、詳しい動作の説明を省略する。
【０１０５】
歪検出ループ及び歪除去ループにより行われる歪補償に関する制御を行う動作の一例を示す。
結合器８１と検波回路８２とＡ／Ｄ変換器８３により入力信号のレベルを検出する動作については、上記第１実施例の図１に示した増幅装置の場合と同様であり、詳しい動作の説明を省略する。なお、Ａ／Ｄ変換器８３は、入力信号のレベル値を表すデジタル信号を制御部８７の制御回路９２へ出力する。
【０１０６】
結合器８４は、結合器８１の後段であって前置増幅器７１の前段に備えられており、第１のパイロット信号を入力信号に合成することが可能である。なお、本例では、第１のパイロット信号を入力信号に合成することが可能な構成例を示したが、必ずしも第１のパイロット信号が入力信号に合成可能な構成が用いられなくともよい。
また、本例では、第２のパイロット信号に本発明を適用した場合を例として説明するため、第１のパイロット信号については更に詳しい説明を省略する。
【０１０７】
結合器８５は、パイロット信号入出力回路９１のスイッチ９３から第２のパイロット信号が入力される場合には、第１の方向性結合器７２から主増幅器７３へ伝送される信号に、当該第２のパイロット信号を合成させる。この場合、主増幅器７３には、第１の方向性結合器７２から出力される信号と第２のパイロット信号とが合成された信号が入力される。
【０１０８】
結合器８６は、第３の方向性結合器７９から出力される歪除去後の増幅信号の一部を取得してパイロット信号入出力回路９１へ出力する。
パイロット信号入出力回路９１は、第２のパイロット信号に対応した受信（Ｒｘ）機能を有しており、結合器８６から入力される信号に含まれる第２のパイロット信号の成分を受信して、当該受信結果を制御回路９２へ出力する。
【０１０９】
また、パイロット信号入出力回路９１は、第２のパイロット信号に対応した送信（Ｔｘ）機能を有しており、制御回路９２によりスイッチ９３のオンオフ状態が制御されることにより、第２のパイロット信号をスイッチ９３を介して結合器８５へ出力する状態と、第２のパイロット信号をスイッチ９３により遮断して結合器８５へ出力しない状態とを切り替える。
【０１１０】
制御部９２は、例えば、パイロット信号入出力回路９１から入力される第２のパイロット信号の受信結果に基づいて、歪除去ループによる歪除去が精度よく行われるように、歪除去ループの振幅位相調整部７７を制御する。
また、制御部９２は、Ａ／Ｄ変換器８３から入力される入力信号のレベル値の情報に基づいてパイロット信号入出力回路９１のスイッチ９３のオンオフ状態を制御し、具体的には、入力信号が入力されているときにはスイッチ９３がオン状態となる一方で、入力信号が入力されていないときにはスイッチ９３がオフ状態となるように制御する。
【０１１１】
以上のように、本例の増幅装置のような構成においても、上記第１実施例で示したのと同様な効果を得ることができる。また、複数のパイロット信号が用いられる場合には、本例のように、それぞれのパイロット信号毎にスイッチによるオンオフ制御を行うか否かを設定することが可能である。
【０１１２】
なお、本例の増幅装置では、主増幅器７３により歪補償の対象となる増幅器が構成されており、パイロット信号入出力回路９１から出力される第２のパイロット信号により基準信号（第２の基準信号）が構成されており、結合器８５の機能により基準信号合成手段（第２の基準信号合成手段）が構成されており、制御回路９２が振幅位相調整部７７を制御する機能により歪補償処理制御手段（第２の歪補償処理制御手段）が構成されている。
【０１１３】
また、本例の増幅装置では、検波回路８２やＡ／Ｄ変換器８３や制御回路９２の機能により増幅対象信号検出手段が構成されており、検波回路８２及びＡ／Ｄ変換器８３による検出結果に基づいて制御回路９２が無入力信号状態を検出する機能により無入力信号検出手段が構成されており、制御回路９２がスイッチ９３を制御して増幅対象となる信号と第２のパイロット信号とを非合成とする機能により基準信号制御手段が構成されている。
【０１１４】
第５実施例に係る増幅装置を説明する。
なお、本例の増幅装置の構成や動作は、パイロット信号を発生させる回路（パイロット信号発生回路）に特徴があり、他の部分の構成や動作については、例えば上記第１実施例〜上記第４実施例に示した増幅装置の場合と同様であり、詳しい説明を省略する。
【０１１５】
図５には、本例のパイロット信号発生回路の構成例を示してある。
本例のパイロット信号発生回路は、フェーズロックループ（ＰＬＬ：Ｐｈａｓｅ  Ｌｏｃｋｅｄ  Ｌｏｏｐ）１０１と、電圧制御発振器（ＶＣＯ：Ｖｏｌｔａｇｅ  Ｃｏｎｔｒｏｌｌｅｄ  Ｏｓｃｉｌｌａｔｏｒ）１０２と、増幅器１０３と、例えば無線周波数（ＲＦ：Ｒａｄｉｏ  Ｆｒｅｑｕｅｎｃｙ）用のスイッチ（ＳＷ）１１１を組み合わせて構成されている。
【０１１６】
ここで、スイッチ１１１は、増幅器１０３の出力ライン１０４に接続されて設けられている。増幅器１０３の出力ライン１０４は、スイッチ１１１を介して、増幅対象となる信号にパイロット信号を合成するための結合器（例えば、上記図１に示した結合器１６、上記図２に示した結合器３３、３６、上記図３に示した結合器５３、５６、上記図４に示した結合器８５）と接続されている。
【０１１７】
本例のパイロット信号発生回路では、制御部からの制御信号により、スイッチ１１１のオンオフ状態が切り替えられる。そして、スイッチ１１１がオン状態であるときには、ＰＬＬ１０１及びＶＣＯ１０２により発生させられるパイロット信号が増幅器１０３により増幅させられた信号が、出力ライン１０４を介して結合器へ出力される一方、スイッチ１１１がオフ状態であるときには、ＰＬＬ１０１及びＶＣＯ１０２により発生させられるパイロット信号が増幅器１０３により増幅させられた信号が、スイッチ１１１により遮断されて、出力ライン１０４を介して結合器へ出力されない。
【０１１８】
以上のように、本例の増幅装置では、パイロット信号発生回路の出力端にスイッチ１１１が設けられており、スイッチ１１１の切り替えに際して、ＰＬＬ１０１やＶＣＯ１０２や増幅器１０３には常に電源が供給されるため、スイッチ１１１の切り替え動作を高速に行うことができる。
【０１１９】
第６実施例に係る増幅装置を説明する。
なお、本例の増幅装置の構成や動作は、パイロット信号を発生させる回路（パイロット信号発生回路）に特徴があり、他の部分の構成や動作については、例えば上記第１実施例〜上記第４実施例に示した増幅装置の場合と同様であり、詳しい説明を省略する。
【０１２０】
図６（ａ）には、本例のパイロット信号発生回路の構成例を示してある。
本例のパイロット信号発生回路の構成や動作は、例えば電源信号用のスイッチ（ＳＷ）１２２が増幅器１０３の電源ライン１２１に接続されて設けられており、増幅器１０３の出力ライン１０４にはスイッチが設けられない点を除いては、上記第５実施例の図５に示したパイロット信号発生回路の構成や動作と同様であり、同様な構成部分１０１〜１０４については、同一の符号を用いて示してあり、詳しい説明を省略する。
【０１２１】
本例のパイロット信号発生回路では、制御部からの制御信号により、スイッチ１２２のオンオフ状態が切り替えられる。そして、スイッチ１２２がオン状態であるときには、電源ライン１２１を介して増幅器１０３に電源が供給され、これにより、ＰＬＬ１０１及びＶＣＯ１０２により発生させられるパイロット信号が増幅器１０３により増幅させられた信号が、出力ライン１０４を介して結合器へ出力される一方、スイッチ１２２がオフ状態であるときには、増幅器１０３への電源供給がスイッチ１２２により遮断され、これにより、ＰＬＬ１０１及びＶＣＯ１０２により発生させられるパイロット信号が、増幅器１０３により増幅されず、出力ライン１０４を介して結合器へ出力されない。
【０１２２】
以上のように、本例の増幅装置では、パイロット信号発生回路の増幅部（本例では、増幅器１０３）の電源ライン１２１にスイッチ１２２が設けられており、パイロット信号を出力しない場合には増幅器１０３には電源が供給されないため、スイッチ１２２の切り替え動作を或る程度の速度に維持しつつ、消費電力を低減することができる。
なお、図６（ｂ）に示されるように、スイッチ１２２と増幅器１０３との間にレギュレータ（ＲＥＧ）１２３を備えるような構成を用いることも可能である。
【０１２３】
第７実施例に係る増幅装置を説明する。
なお、本例の増幅装置の構成や動作は、パイロット信号を発生させる回路（パイロット信号発生回路）に特徴があり、他の部分の構成や動作については、例えば上記第１実施例〜上記第４実施例に示した増幅装置の場合と同様であり、詳しい説明を省略する。
【０１２４】
図７には、本例のパイロット信号発生回路の構成例を示してある。
本例のパイロット信号発生回路の構成や動作は、例えば電源信号用のスイッチ（ＳＷ）１３２がＰＬＬ１０１の電源ライン１３１に接続されて設けられているとともに、電源信号用のスイッチ（ＳＷ）１３４がＶＣＯ１０２の電源ライン１３３に接続されて設けられており、増幅器１０３の出力ライン１０４にはスイッチが設けられない点を除いては、上記第５実施例の図５に示したパイロット信号発生回路の構成や動作と同様であり、同様な構成部分１０１〜１０４については、同一の符号を用いて示してあり、詳しい説明を省略する。
【０１２５】
本例のパイロット信号発生回路では、制御部からの制御信号により、２つのスイッチ１３２、１３４のオンオフ状態が切り替えられる。そして、２つのスイッチ１３２、１３４がオン状態であるときには、それぞれの電源ライン１３１、１３３を介してＰＬＬ１０１及びＶＣＯ１０２に電源が供給され、これにより、ＰＬＬ１０１及びＶＣＯ１０２により発生させられるパイロット信号が増幅器１０３により増幅させられた信号が、出力ライン１０４を介して結合器へ出力される一方、２つのスイッチ１３２、１３４がオフ状態であるときには、ＰＬＬ１０１及びＶＣＯ１０２への電源供給がそれぞれのスイッチ１３２、１３４により遮断され、これにより、ＰＬＬ１０１及びＶＣＯ１０２により発生させられるパイロット信号が、増幅器１０３により増幅されず、出力ライン１０４を介して結合器へ出力されない。
【０１２６】
以上のように、本例の増幅装置では、パイロット信号発生回路のＰＬＬ１０１やＶＣＯ１０２の電源ライン１３１、１３３にスイッチ１３２、１３４が設けられており、パイロット信号を出力しない場合にはＰＬＬ１０１やＶＣＯ１０２には電源が供給されないため、消費電力を低減することができる。
【０１２７】
なお、上記第５実施例〜上記第７実施例に示したパイロット信号発生回路を比較すると、上記第５実施例の図５に示したパイロット信号発生回路のスイッチ切り替え動作の速度が最も速く、上記第６実施例の図６に示したパイロット信号発生回路のスイッチ切り替え動作の速度が中程度に速く、上記第７実施例の図７に示したパイロット信号発生回路のスイッチ切り替え動作の速度が最も遅い。一方、上記第７実施例の図７に示したパイロット信号発生回路の消費電力が最も低く、上記第６実施例の図６に示したパイロット信号発生回路の消費電力が中程度に低く、上記第５実施例の図５に示したパイロット信号発生回路の消費電力が最も高い。
【０１２８】
第８実施例に係る増幅装置を説明する。
本例の増幅装置では、増幅対象となる信号として、バースト信号（バースト波）が入力される。
なお、本例の増幅装置の構成や動作は、バースト信号の入力レベルに基づいてパイロット信号のオンオフ状態を制御するところに特徴があり、他の部分の構成や動作については、例えば上記第１実施例〜上記第７実施例に示した増幅装置の場合と同様であり、詳しい説明を省略する。
【０１２９】
一例として、ソフトウエアによる制御を用いた場合を示す。
本例の増幅装置では、結合器１１、８１と検波回路１２、８２とＡ／Ｄ変換器１３、８３により入力信号のレベルを検出し、制御部２１、４１、６１、８７が当該検出結果と所定の閾値との比較結果に基づいてパイロット信号のスイッチ１５、３２、３５、５２、５５、９３、１１１、１２２、１３２、１３４のオンオフ状態を制御する。
【０１３０】
具体的には、制御部２１、４１、６１、８７では、入力信号のレベルに関する閾値が予め設定されており、Ａ／Ｄ変換器１３、８３から入力される情報に基づく入力信号のレベル検出値と閾値との大小を比較し、レベル検出値が閾値と比べて小さい場合にはスイッチ１５、３２、３５、５２、５５、９３、１１１、１２２、１３２、１３４をオフ状態としてパイロット信号を出力しないように制御し、レベル検出値が閾値と比べて大きい場合にはスイッチ１５、３２、３５、５２、５５、９３、１１１、１２２、１３２、１３４をオン状態としてパイロット信号を出力するように制御する。
【０１３１】
なお、レベル検出値と閾値とが等しい場合については、例えば、スイッチ１５、３２、３５、５２、５５、９３、１１１、１２２、１３２、１３４をオフ状態とする制御が用いられてもよく、或いは、スイッチ１５、３２、３５、５２、５５、９３、１１１、１２２、１３２、１３４をオン状態とする制御が用いられてもよい。
【０１３２】
他の一例として、ハードウエアによる制御を用いた場合を示す。
図８（ａ）、（ｂ）、（ｃ）には、ハードウエアによりバースト信号を検波してパイロット信号のオンオフ状態を制御する構成例における信号波形の一例を示してあり、図８（ｄ）には、このような構成例に係るパイロット信号オンオフ状態制御回路を示してある。
図８（ｄ）に示されるように、本構成例に係るパイロット信号オンオフ状態制御回路は、検波回路１４１と、例えば演算増幅器（オペアンプ）を用いて構成された比較回路１４２を組み合わせて構成されている。
【０１３３】
検波回路１４１には、例えば上記第１実施例〜上記第７実施例に示した結合器１１、８１と同様な位置に備えられた結合器により取得される入力信号が入力される。
比較回路１４２には、例えば予め設定された閾値を表す電圧（基準電圧）Ｖｔｈが参照電圧Ｖｒｅｆとして入力される。
また、比較回路１４２の出力端は、制御部２１、４１、６１、８７と接続されている。
【０１３４】
本構成例に係るパイロット信号オンオフ状態制御回路では、入力信号を検波回路１４１により検波し、これにより得られる入力信号のレベルを表す電圧と予め設定された基準電圧Ｖｔｈとを比較回路１４２により比較し、当該比較結果を表す信号が制御部２１、４１、６１、８７へ出力され、制御部２１、４１、６１、８７が比較回路１４２からの比較結果を表す信号に基づいてスイッチ１５、３２、３５、５２、５５、９３、１１１、１２２、１３２、１３４のオンオフ状態を制御する。
【０１３５】
具体的には、入力信号のレベルが基準電圧Ｖｔｈに対応したレベルと比べて小さい場合には、パイロット信号の出力を停止させる制御信号がスイッチ１５、３２、３５、５２、５５、９３、１１１、１２２、１３２、１３４の制御端へ出力される一方、入力信号のレベルが基準電圧Ｖｔｈに対応したレベルと比べて大きい場合には、パイロット信号を出力させる制御信号がスイッチ１５、３２、３５、５２、５５、９３、１１１、１２２、１３２、１３４の制御端へ出力される。
【０１３６】
なお、入力信号のレベルと閾値とが等しい場合については、例えば、スイッチ１５、３２、３５、５２、５５、９３、１１１、１２２、１３２、１３４をオフ状態とする制御が用いられてもよく、或いは、スイッチ１５、３２、３５、５２、５５、９３、１１１、１２２、１３２、１３４をオン状態とする制御が用いられてもよい。
【０１３７】
例えば、図８（ａ）に示されるように、種々なレベルを有する複数のバースト信号が無線周波数（ＲＦ）帯の入力信号に含まれることが検波回路１４１により検出される場合には、図８（ｂ）に示されるように、それぞれのバースト信号のレベルを表す電圧と基準電圧Ｖｔｈとが比較回路１４２により比較され、これにより、図８（ｃ）に示されるように、基準電圧Ｖｔｈを超える（或いは、基準電圧Ｖｔｈ以上となる）電圧を有するバースト信号についてのみ、スイッチ１５、３２、３５、５２、５５、９３、１１１、１２２、１３２、１３４をオン状態とするための信号が比較回路１４２から出力される。
【０１３８】
以上のように、本例の増幅装置では、バースト信号を検出する検出部（本例では、検波回路１２、８２、１４１）が設けられて、バースト信号を検出した場合に、バースト信号の入力レベルに応じてパイロット信号のオンオフ状態を制御することが行われる。
従って、本例の増幅装置では、例えば、増幅対象となる信号としてバースト信号が入力される場合においても、上記第１実施例で示したのと同様な効果を得ることができる。
【０１３９】
なお、本例の増幅装置では、結合器１１、８１と検波回路１２、８２とＡ／Ｄ変換器１３、８３が入力信号のレベルを検出する機能或いは結合器と検波回路１４１が入力信号のレベルを検出する機能により増幅対象信号レベル検出手段が構成されており、制御部２１、４１、６１、８７がスイッチ１５、３２、３５、５２、５５、９３、１１１、１２２、１３２、１３４を制御して増幅対象となる信号とパイロット信号とを非合成とする機能或いは比較回路１４２と制御部２１、４１、６１、８７がスイッチ１５、３２、３５、５２、５５、９３、１１１、１２２、１３２、１３４を制御して増幅対象となる信号とパイロット信号とを非合成とする機能により基準信号制御手段が構成されている。
【０１４０】
第９実施例に係る増幅装置を説明する。
本例の増幅装置では、増幅対象となる信号として、バースト信号（バースト波）が入力される。
なお、本例の増幅装置の構成や動作は、バースト信号の入力周期に基づいてパイロット信号のオンオフ状態を制御するところに特徴があり、他の部分の構成や動作については、例えば上記第１実施例〜上記第７実施例に示した増幅装置の場合と同様であり、詳しい説明を省略する。
【０１４１】
本例の増幅装置では、制御部２１、４１、６１、８７は、増幅対象となる信号として入力されるバースト信号の周期に基づいて、パイロット信号のオンオフ状態を制御する。
具体的には、制御部２１、４１、６１、８７は、例えば、図９（ａ）に示されるように、周期的にバースト信号が入力される場合には、図９（ｂ）に示されるように、当該周期に合わせて、バースト信号が入力されるときにスイッチ１５、３２、３５、５２、５５、９３、１１１、１２２、１３２、１３４がオン状態となるように制御し、これにより、図９（ｃ）に示されるように、バースト信号が入力されるときにパイロット信号がオン状態となって当該バースト信号に合成されるようにする。
【０１４２】
ここで、バースト信号の周期や、バースト信号の入力タイミングとしては、例えば、予め設定されてもよく、或いは、本例の増幅装置の内部又は外部から通知されてもよい。
また、一例として、入力信号のレベルを検出して、当該検出レベルに基づいてバースト信号の周期や入力タイミングを検出することも可能である。
【０１４３】
従って、本例のような増幅装置の構成においても、例えば、増幅対象となる信号としてバースト信号が入力される場合に、上記第１実施例で示したのと同様な効果を得ることができる。
【０１４４】
なお、本例の増幅装置では、制御部２１、４１、６１、８７が増幅対象となるバースト信号の周期や入力タイミングに基づいて当該バースト信号が無入力状態であることを検出する機能により無入力信号検出手段が構成されている。ここで、例えば、当該バースト信号が入力状態であることを検出する場合についても、実質的には同様であり、本発明に包含される。
【０１４５】
次に、本発明との比較例及び当該比較例における課題を具体的に示す。
なお、本比較例に関して記載する事項は、必ずしも全てが従来技術であるとは限らない。
図１０には、本比較例に係る増幅装置の構成例を示してある。
本比較例に係る増幅装置には、前置増幅器１５１と、第１の方向性結合器１５２と、主増幅器１５３と、第１の遅延線（遅延ルート）１５４と、第２の方向性結合器１５５が備えられており、これらの機能により歪検出ループが構成されている。
また、本比較例に係る増幅装置には、第２の遅延線（遅延ルート）１５６と、補助増幅器（誤差増幅器）１５７と、第３の方向性結合器１５８と、終端器１５９が備えられており、これらの機能により歪除去ループが構成されている。
【０１４６】
また、本比較例に係る増幅装置には、第２の方向性結合器１５５と補助増幅器１５７との間に設けられた結合器１６１と、検波器１６２と、Ａ／Ｄ変換器１６３が備えられており、これらの機能により、歪検出ループにより検出される歪成分信号に関する情報を取得することが可能となっている。
また、図示は省略したが、本比較例に係る増幅装置では、歪検出ループや歪除去ループを制御するためのパイロット信号が、常に、増幅対象となる信号に合成される。
【０１４７】
本比較例に係る増幅装置では、歪検出ループと歪除去ループのそれぞれにおいて、合成対象となる２つの信号に含まれるキャンセルしたい成分の振幅や遅延時間を合わせて、当該２つの信号を当該キャンセルしたい成分について逆位相で合成することにより、歪検出や歪除去が行われており、これにより、フィードフォワード方式による歪補償が実現されている。
【０１４８】
ここで、一般に、歪検出ループや歪除去ループにおける、振幅と位相のそれぞれの偏差によるキャンセル量の特性は、式１のように表され、図１１に示されるようになる。
【０１４９】
【数１】
2004350230.tif 000003
【０１５０】
ところで、フィードフォワード方式による歪補償増幅装置は、例えば、移動通信用の基地局装置に設けられるマルチキャリアに対応した共通増幅装置として、第２世代、第２．５世代、第３世代（ＩＭＴ−２００）において、活用などされている。
そして、近年では、例えば、高速化（ＨＤＲ：Ｈｉｇｈ  Ｄａｔａ  Ｒａｔｅ）システムなどのように、ＣＤＭＡ信号の時分割（バースト）化などの実用化が進められている。
【０１５１】
しかしながら、例えば、上記図１０に示したような比較例に係る増幅装置では、図１２（ａ）に示されるように、入力信号が時分割（バースト）化されると、図１２（ｂ）に示されるように、増幅装置からの増幅信号の出力がオフであるときにおいてもパイロット信号の成分が出力されてしまうといった不具合がある。
【０１５２】
例えば、補助増幅器１５７の動作はバースト時に応じて異なるため、当該補助増幅器１５７の中のベクトル器の値が異なる。また、バースト信号がオフ状態であるときには、フィードフォワードによる歪補償は動作する必要はないが、パイロット信号が常時オン状態であるため、フィードフォワードによる歪補償が常に動作することが必要であった。
【０１５３】
これに対して、以上の実施例（上記第１実施例〜上記第７実施例）に示したような本実施例に係る増幅装置では、このような不具合を解消して、入力信号がオフ状態であるときにはパイロット信号の出力を停止するようにしたため、低消費電力化を図ることや、信号の特性を改善することなどが可能である。
【０１５４】
ここで、本発明に係る増幅装置などの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【０１５５】
また、本発明に係る増幅装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０１５６】
【発明の効果】
以上説明したように、本発明に係る増幅装置によると、歪検出ループと歪除去ループを備えて増幅器で発生する歪を補償するに際して、増幅対象として入力される信号を監視して、例えば、当該入力信号の有無或いは当該入力信号のバースト状態などを認識して、歪検出ループにおける歪補償処理を制御するために使用される基準信号のオンオフ状態や、歪除去ループにおける歪補償処理を制御するために使用される基準信号のオンオフ状態や、これら両方の基準信号のオンオフ状態を制御するようにしたため、基準信号を用いて歪補償に関する制御を行う構成に関して効率化を図ることができる。
【図面の簡単な説明】
【図１】本発明の第１実施例に係る増幅装置の構成例を示す図である。
【図２】本発明の第２実施例に係る増幅装置の構成例を示す図である。
【図３】本発明の第３実施例に係る増幅装置の構成例を示す図である。
【図４】本発明の第４実施例に係る増幅装置の構成例を示す図である。
【図５】本発明の第５実施例に係るパイロット信号発生回路の構成例を示す図である。
【図６】本発明の第６実施例に係るパイロット信号発生回路の構成例を示す図である。
【図７】本発明の第７実施例に係るパイロット信号発生回路の構成例を示す図である。
【図８】本発明の第８実施例に係るバースト信号の検波によるパイロット信号のオンオフ制御の一例を説明するための図である。
【図９】本発明の第９実施例に係るバースト信号の周期によるパイロット信号のオンオフ制御の一例を説明するための図である。
【図１０】増幅装置の構成例を示す図である。
【図１１】振幅偏差及び位相偏差によるキャンセル量の特性の一例を示す図である。
【図１２】バースト信号の入力時における増幅装置からの出力の一例を示す図である。
【符号の説明】
１、５、９、７２、７５、７９、１５２、１５５、１５８・・方向性結合器、
２、７・・ベクトル調整器、  ３、７３、１５３・・主増幅器、
４、６、７４、７６、１５４、１５６・・遅延線、
８、７８、１５７・・補助増幅器、
１１、１６、１７、１９、３３、３６、３７、３９、５３、５６、５７、５９、８１、８４〜８６、１６１・・結合器、
１２、８２、１４１・・検波回路、  １３、８３、１６３・・Ａ／Ｄ変換器、
１４、３１、３４、５１、５４・・発振器、
１５、３２、３５、５２、５５、９３、１１１、１２２、１３２、１３４・・スイッチ、
１８、２０、３８、４０、６０・・受信器、
２１、４１、６１、８７・・制御部、  ５８、１６２・・検波器、
７１、１５１・・前置増幅器、  ７７・・振幅位相調整部、
８０、１５９・・終端器、  ９１・・パイロット信号入出力回路、
９２・・制御回路、  １０１・・ＰＬＬ、  １０２・・ＶＣＯ、
１０３・・増幅器、  １０４・・出力ライン、
１２１、１３１、１３３・・電源ライン、  １２３・・レギュレータ、
１４２・・比較回路、
【図１】
2004350230.tif 000004
【図２】
2004350230.tif 000005
【図３】
2004350230.tif 000006
【図４】
2004350230.tif 000007
【図５】
2004350230.tif 000008
【図６】
2004350230.tif 000009
【図７】
2004350230.tif 000010
【図８】
2004350230.tif 000011
【図９】
2004350230.tif 000012
【図１０】
2004350230.tif 000013
【図１１】
2004350230.tif 000014
【図１２】
2004350230.tif 000015